(57)【要約】【課題】安全性に考慮しつつ切れ味が良好であって、かつ、縦裂けを防止し得る食品用ラップフィルムの切断刃を提供する。【解決手段】箱型収納容器から必要量引き出された食品用ラップフィルムを切断するために箱型収納容器に付設され、全体が帯状板から成る食品用ラップフィルムの切断刃に於て、左右方向の長辺に複数本の歯４を列設し、歯４は先端部４ａに２つの角部５，５を有し、かつ、左右の側端縁部４ｂ，４ｂが円弧状に形成されている。【選択図】図３
2014188652.tif 000002
【特許請求の範囲】
【請求項１】
箱型収納容器（１０）から必要量引き出された食品用ラップフィルム（１）を切断するために上記箱型収納容器（１０）に付設され、全体が帯状板から成る食品用ラップフィルムの切断刃に於て、
左右方向の長辺（２０）に複数本の歯（４）を列設し、該歯（４）は先端部（４ａ）に２つの角部（５）（５）を有し、かつ、左右の側端縁部（４ｂ）（４ｂ）が円弧状に形成されていることを特徴とする食品用ラップフィルムの切断刃。
【請求項２】
左右の上記円弧状側端縁部（４ｂ）（４ｂ）の曲率半径（Ｒ）が０．３５ｍｍ〜０．６０ｍｍに設定され、上記２つの角部（５）（５）に於て、上記先端部（４ａ）と上記側端縁部（４ｂ）（４ｂ）の成す角度（α）が９０°〜１２０°となるように形成されている請求項１記載の食品用ラップフィルムの切断刃。
【請求項３】
上記歯（４）の高さ寸法（Ｈ）と上記側端縁部（４ｂ）（４ｂ）の曲率半径（Ｒ）が、１．０≦Ｒ／Ｈ≦１．３の関係式を満たすように形成されている請求項２記載の食品用ラップフィルムの切断刃。
【請求項４】
隣接する上記歯（４）（４）の間には、上記円弧状側端縁部（４ｂ）（４ｂ）を左右一対に備えた歯間凹部（８）が形成され、該歯間凹部（８）の幅寸法（Ｗ）は、上記曲率半径（Ｒ）に対し、２．０≦Ｗ／Ｒ≦３．０に設定されている請求項２又は３記載の食品用ラップフィルムの切断刃。
【請求項５】
複数本の上記歯（４）は、上記長辺（２０）の左右両端部（２１）（２１）に設けられ、上記長辺（２０）の左右方向の中間部（２２）には、凹凸の無い直線状の伝播誘導部（９）を有している請求項１，２，３又は４記載の食品用ラップフィルムの切断刃。
【請求項６】
箱型収納容器（１０）から必要量引き出された食品用ラップフィルム（１）を切断するために上記箱型収納容器（１０）に付設され、全体が帯状板から成る食品用ラップフィルムの切断刃に於て、
左右方向の長辺（２０）の中央部（Ｃ）を含む中間エリア（Ａ）には、先端部（２４ａ）に２つの角部（５）（５）を有し、かつ、左右の側端縁部（２４ｂ）（２４ｂ）が円弧状に形成された複数本の歯（２４）を列設し、
上記長辺（２０）の左右両端部に配設される端部エリア（Ｂ）（Ｂ）には、上記歯（２４）、及び、三角歯（２３）を、交互になるように順次列設していることを特徴とする食品用ラップフィルムの切断刃。
【請求項７】
上記中間エリア（Ａ）は、上記中央部（Ｃ）を含む第１中間エリア（Ａ１）と、該第１中間エリア（Ａ１）と上記端部エリア（Ｂ）（Ｂ）の間に形成される第２中間エリア（Ａ２）（Ａ２）とに、区画形成され、
上記第１中間エリア（Ａ１）では、上記歯（２４）の上記先端部（２４ａ）の左右長さ寸法（Ｌ１）が、上記第２中間エリア（Ａ２）（Ａ２）での上記歯（２４）の上記先端部（４ａ）の左右長さ寸法（Ｌ２）よりも大きく設定されている請求項６記載の食品用ラップフィルムの切断刃。
【請求項８】
上記第１中間エリア（Ａ１）の左右中間部（２９）には、凹凸の無い直線状の伝播誘導部（９）を有している請求項７記載の食品用ラップフィルムの切断刃。
【請求項９】
箱型収納容器（１０）から必要量引き出された食品用ラップフィルム（１）を切断するために上記箱型収納容器（１０）に付設され、全体が帯状板から成る食品用ラップフィルムの切断刃に於て、
左右方向の長辺に複数本の三角歯（３０）を列設し、該三角歯（３０）の頂点（３２）は、曲率半径（ｒ０）が０．０２ｍｍ〜０．０５ｍｍの微小アール形状に形成され、かつ、該三角歯（３０）の左右の下り勾配部（３１）（３１）に、円弧状弯曲部（３３）（３３）を有していることを特徴とする食品用ラップフィルムの切断刃。
【発明の詳細な説明】
【技術分野】
【０００１】
本発明は、食品用ラップフィルムの切断刃に関する。
【背景技術】
【０００２】
従来、ロール状に巻かれた食品用ラップフィルムを必要量引き出して、蓋体に付設された切断刃によって切断するラップフィルム用収納箱が提案されている（特許文献１参照）。
特許文献１記載のラップフィルム用収納箱は、先端が尖った切断手段によって食品用ラップフィルムにカット起点を形成し、このカット起点から四角形の歯山に沿って食品用ラップフィルムを引き裂いて切断するように構成されている。
【先行技術文献】
【特許文献】
【０００３】
【特許文献１】特開２００８−７４４９２号公報
【発明の概要】
【発明が解決しようとする課題】
【０００４】
しかし、図１５に示すように、従来の切断刃によって食品用ラップフィルム４０を切断する際、切断端縁４５が歯山と歯山の間隔に入り込み、切断端縁４５には複数の凹部４１が形成される。さらに、凹部４１の奥部では、亀裂が入り、ノッチ（切欠部）４２が形成されていた。このノッチ（切欠部）４２が生じると、食品用ラップフィルム４０が引出し方向に破れる、いわゆる“縦裂けＹ”の原因となり易く、また、切断端縁４５が直線性を失って美しくないという欠点があった。食品用ラップフィルム４０に縦裂けＹが生じると、収納箱から食品用ラップフィルム４０を適切に引き出せなくなり、非常に不便であった。
【０００５】
また、縦裂けＹによって引き出せなくなった食品用ラップフィルムを取り出す時や、食品用ラップフィルムを全て使い終わった後、切断刃を収納箱の蓋体から引き剥がす時に、先端の尖った切断手段が、使用者の手や指に接触してケガをしたり皮膚を傷つけたりする虞れがあり、危険であった。
【０００６】
そこで、本発明は、安全性に考慮しつつ切れ味が良好であって、かつ、縦裂けを防止し得る食品用ラップフィルムの切断刃を提供することを目的とする。
【課題を解決するための手段】
【０００７】
本発明に係る食品用ラップフィルムの切断刃は、箱型収納容器から必要量引き出された食品用ラップフィルムを切断するために上記箱型収納容器に付設され、全体が帯状板から成る食品用ラップフィルムの切断刃に於て、左右方向の長辺に複数本の歯を列設し、該歯は先端部に２つの角部を有し、かつ、左右の側端縁部が円弧状に形成されているものである。
また、左右の上記円弧状側端縁部の曲率半径が０．３５ｍｍ〜０．６０ｍｍに設定され、上記２つの角部に於て、上記先端部と上記側端縁部の成す角度が９０°〜１２０°となるように形成されているものである。
【０００８】
また、上記歯の高さ寸法と上記側端縁部の曲率半径が、１．０≦Ｒ／Ｈ≦１．３の関係式を満たすように形成されているものである。
また、隣接する上記歯の間には、上記円弧状側端縁部を左右一対に備えた歯間凹部が形成され、該歯間凹部の幅寸法は、上記曲率半径に対し、２．０≦Ｗ／Ｒ≦３．０に設定されているものである。
また、複数本の上記歯は、上記長辺の左右両端部に設けられ、上記長辺の左右方向の中間部には、凹凸の無い直線状の伝播誘導部を有しているものである。
【０００９】
また、箱型収納容器から必要量引き出された食品用ラップフィルムを切断するために上記箱型収納容器に付設され、全体が帯状板から成る食品用ラップフィルムの切断刃に於て、左右方向の長辺の中央部を含む中間エリアには、先端部に２つの角部を有し、かつ、左右の側端縁部が円弧状に形成された複数本の歯を列設し、上記長辺の左右両端部に配設される端部エリアには、上記歯、及び、三角歯を、交互になるように順次列設しているものである。
また、上記中間エリアは、上記中央部を含む第１中間エリアと、該第１中間エリアと上記端部エリアの間に形成される第２中間エリアとに、区画形成され、上記第１中間エリアでは、上記歯の上記先端部の左右長さ寸法が、上記第２中間エリアでの上記歯の上記先端部の左右長さ寸法よりも大きく設定されているものである。
また、上記第１中間エリアの左右中間部には、凹凸の無い直線状の伝播誘導部を有しているものである。
【００１０】
また、箱型収納容器から必要量引き出された食品用ラップフィルムを切断するために上記箱型収納容器に付設され、全体が帯状板から成る食品用ラップフィルムの切断刃に於て、左右方向の長辺に複数本の三角歯を列設し、該三角歯の頂点は、曲率半径が０．０２ｍｍ〜０．０５ｍｍの微小アール形状に形成され、かつ、該三角歯の左右の下り勾配部に、円弧状弯曲部を有しているものである。
【発明の効果】
【００１１】
本発明の食品用ラップフィルムの切断刃によれば、食品用ラップフィルム切断後の切断端縁のノッチの発生を低減して、強度を向上でき、縦裂けを防止できる。手・指を傷付けることが少なく、安全性が高く、かつ、クレーム（苦情）のリスクを軽減できる。
【図面の簡単な説明】
【００１２】
【図１】本発明の第１の実施形態を示した正面図である。
【図２】食品用ラップフィルムの切断刃の拡大正面図である。
【図３】食品用ラップフィルムの切断刃の拡大正面図であり、（ａ）は要部拡大正面図であり、（ｂ）はさらに拡大した正面図である。
【図４】本発明の第２の実施形態を示した拡大正面図である。
【図５】図４の要部拡大図である。
【図６】本発明の第３の実施形態を示した拡大正面図であり、（ａ）は要部拡大正面図であり、（ｂ）はさらに拡大した正面図である。
【図７】本発明により形成される食品用ラップフィルムの切断端縁を示した要部拡大図である。
【図８】本発明の第４の実施形態を示した正面図である。
【図９】図８の要部拡大正面図である。
【図１０】端部エリアの拡大図である。
【図１１】第２中間エリアの拡大図である。
【図１２】第１中間エリアの拡大図である。
【図１３】本発明の第５の実施形態を示した正面図である。
【図１４】図８の要部拡大正面図である。
【図１５】従来の切断刃により形成される食品用ラップフィルムの切断端縁を示した要部拡大図である。
【発明を実施するための形態】
【００１３】
以下、実施の形態を示す図面に基づき本発明を詳説する。
図１に示すように、本発明の食品用ラップフィルムの切断刃は、全体が帯状板から成り、食品用ラップフィルム１がロール状に巻かれて収納された箱型収納容器１０に付設されている。図示省略するが、使用時には、箱型収納容器１０から必要量引き出された食品用ラップフィルム１を引っ張って、切断刃に押し付けることにより引き裂いて刃渡り（左右）方向に切断する。
箱型収納容器１０は、細長直方体形であって、例えば、紙製や樹脂製である。箱型収納容器１０は、食品用ラップフィルム１がロール状に巻回された状態で収納される箱本体２と、箱本体２に開閉自在に設けられる蓋体３と、から成り、切断刃は蓋体３の先端縁部に突出状に取付けられている。この切断刃は、例えば、金属の場合は、ブリキ等の薄い金属板をもって構成される。この金属板の厚みは、０．１５ｍｍ〜０．３０ｍｍに設定するのが好ましい。なお、他の材質として、硬質のプラスチック製としたり、加硫紙やバルカナイズド・ファイバーを含有する紙製、又は、公知の他の材料で曲げ剛性、耐久性を十分に有する適当な材質のものを用いても良い。例えば、プラスチックとして、ＰＰやＰＥＴ等を用いるも好ましく、生分解性プラスチック、あるいは、酸化チタン、塩化亜鉛、カーボンファイバー等を添加したものを用いるも望ましい。また、紙としては、アクリル樹脂等の含浸とすることもできる。なお、プラスチック製とした場合には、切断刃の厚みは、０．１５ｍｍ〜０．３０ｍｍに設定するのが好ましい。また、紙製とした場合には、切断刃の厚みは、０．２ｍｍ〜０．４ｍｍに設定するのが好ましい。
【００１４】
図１〜図３では、本発明の食品用ラップフィルムの切断刃の第１の実施形態を示している。
本発明の食品用ラップフィルムの切断刃は、左右方向の長辺２０に複数本の歯４を列設している。歯４は、先端部４ａに２つの角部５，５を有し、かつ、左右の側端縁部４ｂ，４ｂが円弧状に形成されている。
即ち、歯４の形状は、先端部４ａが切断刃の左右方向（刃渡り方向）に沿って短寸ストレート（直線）状に形成され、左右の側端縁部４ｂ，４ｂが基端部に向けて次第に拡幅していく、いわゆる末広がりの富士山形状である。食品用ラップフィルム１の切断の際、角部５，５によって食品用ラップフィルム１を突き破って貫通孔を形成し、この貫通孔を“カット起点”として、食品用ラップフィルム１を歯４の先端部４ａに沿って切断し、次に、歯４の円弧状側端縁部４ｂに沿って切断するように構成されている。
【００１５】
図３に示すように、左右の円弧状側端縁部４ｂ，４ｂの曲率半径Ｒは、０．３５ｍｍ〜０．６０ｍｍに設定されている。曲率半径Ｒが０．３５ｍｍより小さいと、円弧状側端縁部４ｂ，４ｂに沿って切断できなくなり、食品用ラップフィルム１の切断端縁にノッチが発生し易くなる虞れがある。曲率半径Ｒが０．６０ｍｍを越えると、円弧状側端縁部４ｂ，４ｂに沿って切断できるが、溝の幅寸法が過大となり、安全性が劣る。
また、歯４の２つの角部５，５に於て、先端部４ａと側端縁部４ｂ，４ｂの成す角度αが、９０°〜１２０°となるように形成されている。角度αが９０°より小さいと、プレス打抜加工が困難となる。角度αが１２０°を越えると、切れ味が鈍くなる。より好ましくは、先端部４ａと側端縁部４ｂ，４ｂの成す角度αが９０°〜１０５°となるのが良い。
なお、角部５，５は、曲率半径Ｒ０が０．０２ｍｍ〜０．０５ｍｍの微小アール形状に形成され、食品用ラップフィルム１を容易に突き破るように形成されている。角部５の曲率半径Ｒ０が０．０２ｍｍより小さい場合には、加工が難しく、曲率半径Ｒ０が０．０５ｍｍを越えると、食品用ラップフィルム１を突き破りにくくなる。
【００１６】
本発明の食品用ラップフィルムの切断刃は、歯４の高さ寸法Ｈと側端縁部４ｂ，４ｂの曲率半径Ｒが、１．０≦Ｒ／Ｈ≦１．３の関係式を満たすように形成されている。
図３では、Ｒ／Ｈ＝１．０、即ち、Ｒ＝Ｈとし、歯４の高さ寸法Ｈと側端縁部４ｂ，４ｂの曲率半径Ｒを同一寸法としている。図例では、歯４の先端部４ａと側端縁部４ｂ，４ｂの成す角度αが９０°（直角）となる。
【００１７】
隣接する歯４，４の間には、円弧状側端縁部４ｂ，４ｂを左右一対に備えた歯間凹部８が形成され、歯間凹部８の幅寸法Ｗは、曲率半径Ｒに対し、２．０≦Ｗ／Ｒ≦３．０に設定されている。
図３に示すように、歯間凹部８の中間位置には、切断刃の左右方向に沿って（歯４の先端部４ａと平行に）所定幅寸法Ｔにわたって平坦部１４が形成されている。
歯間凹部８の幅寸法Ｗが曲率半径Ｒの２倍未満であると、歯間凹部８に平坦部１４が形成されず、食品用ラップフィルム１を円弧状側端縁部４ｂ，４ｂに沿って切断できず、食品用ラップフィルム１の切断端縁にノッチが発生し易くなる虞れがある。歯間凹部８の幅寸法Ｗが曲率半径Ｒの３倍を越えると、幅寸法Ｗが過大となり、安全性に劣る。より好ましくは、歯間凹部８の幅寸法Ｗは、曲率半径Ｒに対し、２．０≦Ｗ／Ｒ≦２．４となる。
【００１８】
図１と図２に示すように、複数本の歯４は、長辺２０の左右両端部２１，２１に設けられ、長辺２０の左右方向の中間部２２には、凹凸の無い直線状の伝播誘導部９を有している。
長辺２０の左右の端部２１では、歯４に食品用ラップフィルム１が押し付けられることにより、カット起点が形成され、歯４に沿って食品用ラップフィルム１の切断端縁が伝播して切断される。長辺２０の中間部２２では、端部２１の歯４によって形成された食品用ラップフィルム１の切断端縁を、伝播誘導部９に沿って直線的に伝播させることで、食品用ラップフィルム１の切断端縁にノッチが発生しないように切断する。
【００１９】
次に、本発明の第２の実施形態について説明すると、図４と図５に示す切断刃は、左右方向の長辺２０に複数本の歯４を列設している。歯４は、先端部４ａに２つの角部５，５を有し、かつ、左右の側端縁部４ｂ，４ｂが円弧状に形成されている。左右の円弧状側端縁部４ｂ，４ｂの曲率半径Ｒは、０．３５ｍｍ〜０．６０ｍｍに設定され、かつ、歯４の２つの角部５，５に於て、先端部４ａと側端縁部４ｂ，４ｂの成す角度αが、９０°〜１２０°となるように形成されている。歯４の高さ寸法Ｈと側端縁部４ｂ，４ｂの曲率半径Ｒが、１．０≦Ｒ／Ｈ≦１．３の関係式を満たすように形成されている。
【００２０】
図５では、Ｒ＞Ｈとし、歯４の高さ寸法Ｈより側端縁部４ｂ，４ｂの曲率半径Ｒが大きい寸法を有している。図５では、歯４の先端部４ａと側端縁部４ｂ，４ｂの成す角度αが９０°（直角）より大きくなる。隣接する歯４，４の間には、円弧状側端縁部４ｂ，４ｂを左右一対に備えた歯間凹部８が形成され、歯間凹部８の幅寸法Ｗは、曲率半径Ｒに対し、２．０≦Ｗ／Ｒ≦３．０に設定されている。
歯間凹部８の中間位置には、切断刃の左右方向に沿って（歯４の先端部４ａと平行に）所定幅寸法Ｔにわたって平坦部１４が形成されている。複数本の歯４は、長辺２０の左右両端部２１，２１に設けられ、長辺２０の左右方向の中間部２２には、凹凸の無い直線状の伝播誘導部９を有している。
【００２１】
次に、本発明の第３の実施形態について説明する。
図６に示すように、全体が帯状板から成る食品用ラップフィルムの切断刃に於て、左右方向の長辺に複数本の三角歯３０を列設し、三角歯３０の頂点３２は、曲率半径ｒ０が０．０２ｍｍ〜０．０５ｍｍの微小アール形状に形成され、かつ、三角歯３０の左右の下り勾配部３１，３１に、円弧状弯曲部３３，３３を有している。
図６に示す切断刃は、食品用ラップフィルム１の切断の際、三角歯３０の頂点３２によって食品用ラップフィルム１を突き破って貫通孔を形成し、この貫通孔を“カット起点”として、三角歯３０の下り勾配部３１，３１に沿って食品用ラップフィルム１の切断端縁を切断するように構成されている。
【００２２】
円弧状弯曲部３３，３３の曲率半径Ｒは、０．３５ｍｍ〜０．６０ｍｍに設定されている。
曲率半径Ｒが０．３５ｍｍより小さいと、円弧状弯曲部３３，３３に沿って切断できなくなり、食品用ラップフィルム１の切断端縁にノッチが発生し易くなる虞れがある。曲率半径Ｒが０．６０ｍｍを越えると、円弧状弯曲部３３，３３に沿って切断できるが、溝の幅寸法が過大となり、安全性が劣る。
【００２３】
次に、上述した本発明の食品用ラップフィルムの切断刃の作用について説明する。
図７は、図２に示す（第１実施形態の）切断刃によって切断した食品用ラップフィルム１の切断端縁を示している。
本発明の食品用ラップフィルムの切断刃は、歯４の角部５によって食品用ラップフィルム１を突き破ってカット起点を形成し、食品用ラップフィルム１を歯４の先端部４ａに沿って切断し、次に、歯４の側端縁部４ｂに沿って切断する。
【００２４】
食品用ラップフィルム１は、歯４の側端縁部４ｂ，４ｂ、及び、歯間凹部８の平坦部１４（図３参照）に切断端縁を確実にガイドされるため、切断の合流箇所に該る谷部１９に於ても、ノッチを生じることなく美しく切断端縁が形成される。
歯４にて食品用ラップフィルム１にカット起点を形成した後、食品用ラップフィルム１の切断端縁を中間部の伝播誘導部９に沿って直線状に伝播させる。この際、伝播誘導部９は、食品用ラップフィルム１の分子配向を利用して、左右方向に食品用ラップフィルム１の切断端縁を（ほぼ直線的に）誘導しつつ引き裂いて、その切断に必要な力は非常に小さく済む。
【００２５】
本発明の切断刃は、食品用ラップフィルム１の縦裂けに対する切断端縁の強度を大きく増加でき、図７の食品用ラップフィルム１の縦裂けに対する切断端縁の強度は、図１５に示す食品用ラップフィルムに比較して、４倍以上を示すことが確認されている。
【００２６】
なお、本発明は、設計変更可能であって、例えば、伝播誘導部９を設けず、切断刃の長辺２０の全域に複数本の歯４（三角歯３０）を列設するも良い。
【００２７】
次に、図８〜図１２に於て、本発明の食品用ラップフィルムの切断刃の第４の実施形態を示している。
図８〜図１２では、全体が帯状板から成る食品用ラップフィルムの切断刃に於て、左右方向の長辺２０の中央部Ｃを含む中間エリアＡには、先端部２４ａに２つの角部５，５を有し、かつ、左右の側端縁部２４ｂ，２４ｂが円弧状に形成された複数本の歯２４を列設している。また、長辺２０の左右両端部に配設される端部エリアＢ，Ｂには、（先端部２４ａに２つの角部５，５を有し、かつ、左右の側端縁部２４ｂ，２４ｂが円弧状に形成された）歯２４、及び、三角歯２３を、交互になるように順次列設している。
本発明の食品用ラップフィルムの切断刃は、中央部Ｃを中心として左右対称形に形成されている。食品用ラップフィルムの切断の際には、端部エリアＢの歯２４の角部５，５と三角歯２３の頂点２３ａによって食品用ラップフィルムを突き破ってカット起点を形成して切断を開始し、次に、中間エリアＡの複数本の歯２４によって食品用ラップフィルムを切断する。即ち、端部エリアＢ，Ｂは、低いカット力でカット起点を形成するための“混合歯エリア”である。
【００２８】
図１０〜図１２に示すように、歯２４の形状は、先端部２４ａが切断刃の左右方向（刃渡り方向）に沿って短寸ストレート（直線）状に形成され、左右の側端縁部２４ｂ，２４ｂが基端部に向けて次第に拡幅していく、いわゆる末広がりの富士山形状である。
三角歯２３は、頂点２３ａの曲率半径が０．０２ｍｍ〜０．０５ｍｍの微小アール形状に形成され、かつ、左右の下り勾配部２３ｂ，２３ｂに、円弧状弯曲部３３，３３を有している。
【００２９】
歯２４に於て、左右の側端縁部２４ｂ，２４ｂの曲率半径Ｒは、０．３５ｍｍ〜０．６０ｍｍに設定されている。また、歯２４の２つの角部５，５に於て、先端部２４ａと側端縁部２４ｂ，２４ｂの成す角度αが、９０°〜１２０°となるように形成されている。より好ましくは、先端部２４ａと側端縁部２４ｂ，２４ｂの成す角度αが９０°〜１０５°となる。なお、角部５，５は、曲率半径が０．０２ｍｍ〜０．０５ｍｍの微小アール形状に形成され、食品用ラップフィルム１を容易に突き破るように形成されている。角部５の曲率半径が０．０２ｍｍより小さい場合には、加工が難しく、曲率半径が０．０５ｍｍを越えると、食品用ラップフィルム１を突き破りにくくなる。
以上の構成により、食品用ラップフィルム１の切断を行う際、（角部５から切断を開始する）切断端縁が歯２４の側端縁部２４ｂに沿って切断され、ノッチが形成されにくくなる。しかも、切れ味が良好となる。
【００３０】
三角歯２３に於て、円弧状弯曲部３３，３３の曲率半径Ｒは、０．３５ｍｍ〜０．６０ｍｍに設定されている。曲率半径Ｒが０．３５ｍｍより小さいと、円弧状弯曲部３３，３３に沿って切断できなくなり、食品用ラップフィルム１の切断端縁にノッチが発生し易くなる虞れがある。曲率半径Ｒが０．６０ｍｍを越えると、円弧状弯曲部３３，３３に沿って切断できるが、溝の幅寸法が過大となり、安全性が劣る。
【００３１】
また、歯２４の高さ寸法Ｈと側端縁部２４ｂ，２４ｂの曲率半径Ｒが、１．０≦Ｒ／Ｈ≦１．３の関係式を満たすように形成されている。図１０〜図１２では、Ｒ／Ｈ＝１．０、即ち、Ｒ＝Ｈとし、歯２４の高さ寸法Ｈと側端縁部２４ｂ，２４ｂの曲率半径Ｒを同一寸法としている。図例では、歯２４の先端部２４ａと側端縁部２４ｂ，２４ｂの成す角度αが９０°（直角）となる。
なお、図１０の端部エリアＢに於て、三角歯２３は、安全性を考慮して歯２４の高さ寸法Ｈよりも（僅かに）低く形成されるのが望ましい。
【００３２】
図８と図９に示すように、中間エリアＡは、中央部Ｃを含む第１中間エリアＡ１と、第１中間エリアＡ１と端部エリアＢ，Ｂの間に形成される第２中間エリアＡ２，Ａ２とに、区画形成されている。第１中間エリアＡ１では、歯２４の先端部２４ａの左右長さ寸法Ｌ１が、第２中間エリアＡ２，Ａ２での歯２４の先端部４ａの左右長さ寸法Ｌ２よりも大きく設定されている。
【００３３】
図１０〜図１２に於て、隣接する歯２４，２４の間、及び、隣接する歯２４と三角歯２３の間には、略半楕円形状の歯間凹部２８が形成され、歯間凹部２８の幅寸法Ｗは、曲率半径Ｒに対し、２．０≦Ｗ／Ｒ≦３．０に設定されている。歯間凹部２８の左右中間位置には、所定幅寸法Ｔにわたって平坦部１４が形成されている。
歯間凹部２８の幅寸法Ｗが曲率半径Ｒの２倍未満であると、歯間凹部２８に平坦部１４が形成されず、食品用ラップフィルム１を円弧状側端縁部２４ｂ，２４ｂに沿って切断できず、食品用ラップフィルム１の切断端縁にノッチが発生し易くなる虞れがある。歯間凹部２８の幅寸法Ｗが曲率半径Ｒの３倍を越えると、幅寸法Ｗが過大となり、安全性に劣る。より好ましくは、歯間凹部２８の幅寸法Ｗは、曲率半径Ｒに対し、２．０≦Ｗ／Ｒ≦２．４に設定される。
【００３４】
次に、本発明の第５の実施形態について説明する。
図１３と図１４に示すように、全体が帯状板から成る食品用ラップフィルムの切断刃に於て、左右方向の長辺２０の中央部Ｃを含む中間エリアＡには、先端部２４ａに２つの角部５，５を有し、かつ、左右の側端縁部２４ｂ，２４ｂが円弧状に形成された複数本の歯２４を列設している。また、長辺２０の左右両端部に配設される端部エリアＢ，Ｂには、（先端部２４ａに２つの角部５，５を有し、かつ、左右の側端縁部２４ｂ，２４ｂが円弧状に形成された）歯２４、及び、三角歯２３を、交互になるように順次列設している。さらに、中間エリアＡは、中央部Ｃを含む第１中間エリアＡ１と、第１中間エリアＡ１と端部エリアＢ，Ｂの間に形成される第２中間エリアＡ２，Ａ２とに、区画形成されている。図１３と図１４では、第１中間エリアＡ１では、歯２４の先端部２４ａの左右長さ寸法Ｌ１が、第２中間エリアＡ２，Ａ２での歯２４の先端部４ａの左右長さ寸法Ｌ２よりも大きく設定され、さらに、第１中間エリアＡ１の左右中間部２９に、凹凸の無い直線状の伝播誘導部９を有している。その他の構成は、前記（第４の実施形態）と同様であるため説明を省略する。
【００３５】
以上のように、本発明に係る食品用ラップフィルムの切断刃は、箱型収納容器１０から必要量引き出された食品用ラップフィルム１を切断するために箱型収納容器１０に付設され、全体が帯状板から成る食品用ラップフィルムの切断刃に於て、左右方向の長辺２０に複数本の歯４を列設し、歯４は先端部４ａに２つの角部５，５を有し、かつ、左右の側端縁部４ｂ，４ｂが円弧状に形成されているので、食品用ラップフィルム１の切断端縁にノッチが発生するのを低減して、切断端縁の強度を向上でき、縦裂けを防止できる。手・指を傷付けることが少なく、安全性が高く、かつ、クレーム（苦情）のリスクを軽減できる。
【００３６】
また、左右の円弧状側端縁部４ｂ，４ｂの曲率半径Ｒが０．３５ｍｍ〜０．６０ｍｍに設定され、２つの角部５，５に於て、先端部４ａと側端縁部４ｂ，４ｂの成す角度αが９０°〜１２０°となるように形成されているので、食品用ラップフィルム１の切断端縁にノッチが発生するのを確実に抑制でき、かつ、切れ味が鋭く、食品用ラップフィルム１を小さな力で軽く切断できる。
【００３７】
また、歯４の高さ寸法Ｈと側端縁部４ｂ，４ｂの曲率半径Ｒが、１．０≦Ｒ／Ｈ≦１．３の関係式を満たすように形成されているので、食品用ラップフィルム１の切断端縁にノッチが発生するのを確実に抑制でき、かつ、切れ味が鋭く、食品用ラップフィルム１を小さな力で軽く切断できる。
【００３８】
また、隣接する歯４，４の間には、円弧状側端縁部４ｂ，４ｂを左右一対に備えた歯間凹部８が形成され、歯間凹部８の幅寸法Ｗは、曲率半径Ｒに対し、２．０≦Ｗ／Ｒ≦３．０に設定されているので、切れ味が鋭く、角部５による突き破りが有効に行われ、食品用ラップフィルム１に容易にカット起点を形成できる。また、食品用ラップフィルム１の切断端縁にノッチが発生しにくくなる。
【００３９】
また、複数本の歯４は、長辺２０の左右両端部２１，２１に設けられ、長辺２０の左右方向の中間部２２には、凹凸の無い直線状の伝播誘導部９を有しているので、食品用ラップフィルム１の分子配向を利用して、左右方向に食品用ラップフィルム１を直線的に誘導しつつ切断でき、その切断に必要な力は非常に小さく済み、ノッチが発生しないので縦裂けしない。
【００４０】
また、箱型収納容器１０から必要量引き出された食品用ラップフィルム１を切断するために箱型収納容器１０に付設され、全体が帯状板から成る食品用ラップフィルムの切断刃に於て、左右方向の長辺２０の中央部Ｃを含む中間エリアＡには、先端部２４ａに２つの角部５，５を有し、かつ、左右の側端縁部２４ｂ，２４ｂが円弧状に形成された複数本の歯２４を列設し、長辺２０の左右両端部に配設される端部エリアＢ，Ｂには、歯２４、及び、三角歯２３を、交互になるように順次列設しているので、食品用ラップフィルム１の切断端縁にノッチが発生するのを低減して、切断端縁の強度を向上でき、縦裂けを防止できる。また、ケガの低減と共に、端部エリアＢでのカット起点（切断起点）形成の際、歯２４と三角歯２３とが交互になるように列設したので、食品用ラップフィルム１の滑りを防止し、切れ味を向上でき、切断刃の刃渡り（左右）方向にわたって切断をスムーズに行える。手・指を傷付けることが少なく、安全性が高く、かつ、クレーム（苦情）のリスクを軽減できる。
【００４１】
また、中間エリアＡは、中央部Ｃを含む第１中間エリアＡ１と、第１中間エリアＡ１と端部エリアＢ，Ｂの間に形成される第２中間エリアＡ２，Ａ２とに、区画形成され、第１中間エリアＡ１では、歯２４の先端部２４ａの左右長さ寸法Ｌ１が、第２中間エリアＡ２，Ａ２での歯２４の先端部４ａの左右長さ寸法Ｌ２よりも大きく設定されているので、食品用ラップフィルム１の切断端縁にノッチが発生するのを低減して、切断端縁の強度を向上でき、縦裂けを防止できる。また、加工も容易である。
【００４２】
また、第１中間エリアＡ１の左右中間部２９には、凹凸の無い直線状の伝播誘導部９を有しているので、左右方向に食品用ラップフィルム１を直線的に誘導しつつ切断でき、その切断に必要な力は非常に小さく済み、ノッチが発生しないので縦裂けしない。
【００４３】
また、箱型収納容器１０から必要量引き出された食品用ラップフィルム１を切断するために箱型収納容器１０に付設され、全体が帯状板から成る食品用ラップフィルムの切断刃に於て、左右方向の長辺に複数本の三角歯３０を列設し、三角歯３０の頂点３２は、曲率半径ｒ０が０．０２ｍｍ〜０．０５ｍｍの微小アール形状に形成され、かつ、三角歯３０の左右の下り勾配部３１，３１に、円弧状弯曲部３３，３３を有しているので、食品用ラップフィルム１の切断端縁にノッチが発生するのを低減して、切断端縁の強度を向上でき、縦裂けを防止できる。
【符号の説明】
【００４４】
１  食品用ラップフィルム
４  歯
４ａ  先端部
４ｂ  側端縁部
５  角部
８  歯間凹部
９  伝播誘導部
１０  箱型収納容器
２０  長辺  ２１  左右両端部
２２  中間部
２３  三角歯
２４  歯
２４ａ  先端部
２４ｂ  側端縁部
２９  左右中間部
３０  三角歯
３１  下り勾配部
３２  頂点
３３  円弧状弯曲部
Ｒ，ｒ０  曲率半径
α  角度
Ｈ  高さ寸法
Ｗ  幅寸法
Ａ  中間エリア
Ａ１  第１中間エリア
Ａ２  第２中間エリア
Ｂ  端部エリア
Ｃ  中央部
Ｌ１，Ｌ２  左右長さ寸法
【図１】
2014188652.tif 000003
【図２】
2014188652.tif 000004
【図３】
2014188652.tif 000005
【図４】
2014188652.tif 000006
【図５】
2014188652.tif 000007
【図６】
2014188652.tif 000008
【図７】
2014188652.tif 000009
【図８】
2014188652.tif 000010
【図９】
2014188652.tif 000011
【図１０】
2014188652.tif 000012
【図１１】
2014188652.tif 000013
【図１２】
2014188652.tif 000014
【図１３】
2014188652.tif 000015
【図１４】
2014188652.tif 000016
【図１５】
2014188652.tif 000017